(57)【特許請求の範囲】
【請求項１】
衣本体と、保冷材を収容する収容ポケットとを有する体温冷却衣において、衣本体の袖ぐりに袖が接合され、該袖は展開状態で長尺帯状に形成されるとともに、前記収容ポケットは、着用者の上腕に袖が長尺方向に巻きつけられた状態で着用者の上腕の腋窩部と対面する位置の袖に設けられ、更に、袖の長尺方向の一端側に面ファスナが縫着され、袖の長尺方向の他端側には前記一端側の面ファスナと係脱可能に係合する当該長尺方向に長い面ファスナが縫着されていることを特徴とする体温冷却衣。
【請求項２】
衣本体と、保冷材を収容する収容ポケットとを有する体温冷却衣において、衣本体の裾に脚着用筒体が接合され、該脚着用筒体は展開状態で長尺帯状に形成されるとともに、前記収容ポケットは、着用者の大腿に脚着用筒体が長尺方向に巻きつけられた状態で着用者の大腿の鼠蹊部と対面する位置の脚着用筒体に設けられ、更に、脚着用筒体の長尺方向の一端側に面ファスナが縫着され、脚着用筒体の長尺方向の他端側には前記一端側の面ファスナと係脱可能に係合する当該長尺方向に長い面ファスナが縫着されていることを特徴とする体温冷却衣。
【請求項３】
衣本体が、互いに分離独立した前身頃および後身頃と、前身頃の胴部両側方に縫着された胴回り方向に長い面ファスナと、後身頃の胴部両側方に縫着されて前記前身頃の面ファスナと係脱可能に係合する胴回り方向に長い面ファスナと、前身頃の両肩部に縫着された丈方向に長い面ファスナと、後身頃の両肩部に縫着されて前記前身頃の両肩部の面ファスナと係脱可能に係合する丈方向に長い面ファスナとから構成されている請求項１または請求項２のいずれかに記載の体温冷却衣。
【発明の詳細な説明】
【０００１】
【発明の属する技術分野】
本発明は、冷蔵庫などで冷やした保冷材を用いて体温を下げる体温冷却衣に関するものである。
【０００２】
【従来の技術】
一般に、高熱が出ると、額や後頭部に冷タオルや冷却材を当てて体温を下げるようにしている。一方で、幼児は高熱であっても安静に寝ていることが少なく、冷タオルや冷却材を当てても手で払い除けてしまうことが多い。しかしながら、脱水症状や熱性けいれんのおそれがある場合はただちに解熱しなければならない。このような場合に坐薬が使用されるが、坐薬は体への負担が大きいため頻繁には使用できない。
【０００３】
そこで、保冷材を体に密着させるようにした図７の体温冷却衣５１が、特開２０００−３３６５０５号公報に開示されている。この体温冷却衣５１は衣本体５２がベスト状に形成されている。衣本体５２の側胴部における袖ぐり５３の下辺近傍には、ポケット開口５５を封止する蓋５６付きの収容ポケット５４が設けられている。
この体温冷却衣５１は、予め冷蔵庫などで冷やしておいた保冷材５７を収容ポケット５４に収容して使用される。これにより、着用者の腋の下を冷やすようになっている。
【０００４】
【発明が解決しようとする課題】
ところで、ベストの袖ぐり５３は上腕の挿通をたやすくするために、上腕よりも大径にしてゆとりを持たせてあるのが普通である。そのため、袖ぐり５３の下辺部は上腕の付け根位置よりも下方に位置することとなる。
一方、図８に示すように、腋の下から上腕内側にわたる腋窩部３８においては、腋窩動脈４５が皮下近くを通っている。この腋窩部３８を冷やすことで、温度の低い血液が体の末端に送られて体温が迅速に下げられる。
この場合、上腕を胴体に密着させていれば、収容ポケット５４の保冷材５７で腋窩動脈４５を冷やすことができる。しかしながら、寝返りを打ったときや遊んでいるときのように上腕が体側から離れると、腋窩部３８も収容ポケット５４から離れるために冷却されず、有効に体温を下げられないという不具合があった。
【０００５】
本発明は、上記した従来の問題点に鑑みてなされたものであって、収容ポケットに収容した保冷材により有効に体温を下げることのできる体温冷却衣の提供を目的とする。
【０００６】
【課題を解決するための手段】
上記目的を達成するために、本発明に係る体温冷却衣は、衣本体と、保冷材を収容する収容ポケットとを有する体温冷却衣において、衣本体の袖ぐりに袖が接合され、該袖は展開状態で長尺帯状に形成されるとともに、前記収容ポケットは、着用者の上腕に袖が長尺方向に巻きつけられた状態で着用者の上腕の腋窩部と対面する位置の袖に設けられ、更に、袖の長尺方向の一端側に面ファスナが縫着され、袖の長尺方向の他端側には前記一端側の面ファスナと係脱可能に係合する当該長尺方向に長い面ファスナが縫着されているものである。
【０００８】
そして、衣本体と、保冷材を収容する収容ポケットとを有する体温冷却衣において、衣本体の裾に脚着用筒体が接合され、該脚着用筒体は展開状態で長尺帯状に形成されるとともに、前記収容ポケットは、着用者の大腿に脚着用筒体が長尺方向に巻きつけられた状態で着用者の大腿の鼠蹊部と対面する位置の脚着用筒体に設けられ、更に、脚着用筒体の長尺方向の一端側に面ファスナが縫着され、脚着用筒体の長尺方向の他端側には前記一端側の面ファスナと係脱可能に係合する当該長尺方向に長い面ファスナが縫着されているものである。
【０００９】
更に、前記した各構成において、衣本体が、互いに分離独立した前身頃および後身頃と、前身頃の胴部両側方に縫着された胴回り方向に長い面ファスナと、後身頃の胴部両側方に縫着されて前記前身頃の面ファスナと係脱可能に係合する胴回り方向に長い面ファスナと、前身頃の両肩部に縫着された丈方向に長い面ファスナと、後身頃の両肩部に縫着されて前記前身頃の両肩部の面ファスナと係脱可能に係合する丈方向に長い面ファスナとから構成されているものである。
【００１０】
【発明の実施の形態】
本発明の実施の形態を図面に基づいて説明する。
ここに、図１は本発明の一実施形態に係る体温冷却衣を示す正面図、図２は前記の体温冷却衣を見上げた底面図、図３は前記の体温冷却衣を分解した正面展開図、図４は前記の体温冷却衣を分解した背面展開図である。
各図において、この実施形態に係る体温冷却衣１は、ベスト状に形成された衣本体２を基に構成されている。衣本体２は、互いに分離独立した前身頃３および後身頃４と、前身頃３と後身頃４を係脱可能に係止する係合部材５，５および係合部材３５，３５（図６参照）と、から構成されている。前身頃３および後身頃４は例えばキルティング地で形成されている。係合部材５，５は、前身頃３の胴部側方背面に縫着された面ファスナ６，６，６，６と、後身頃４の胴部側方背面に縫着されて前記の面ファスナ６，６，６，６と係脱可能に係合する面ファスナ７，７，７，７と、から成っている。
【００１１】
前身頃３の上部には肩部８，８が形成され、後身頃４の上部に肩部１８，１８が形成されている。これらの肩部８，８と肩部１８，１８は係合部材３５，３５により係脱可能に連結される。係合部材３５，３５は、肩部８，８の背面に縫着された面ファスナ９，９と、肩部１８，１８の背面に縫着されて前記の面ファスナ９，９と係脱可能に係合する面ファスナ１９，１９と、から構成されている。
【００１２】
衣本体２の背中部分２ａ、すなわち後身頃４の中央部分には袋用布１４が縫着されて、上面にポケット開口１６を有する収容ポケット１５が形成される。この収容ポケット１５内には保冷材１７が収容されるようになっている。収容ポケット１５のポケット開口は後身頃４の内面（前面）に形成してもよい。
【００１３】
衣本体２の左右の袖ぐり１０，１０には、前身頃３に対し分離独立構成の袖２０，２０が接合される。袖２０，２０は展開状態で長尺帯状となっている。各袖ぐり１０には例えばボタンから成る接合部材１１，１１が取り付けられている。各袖２０の一端側下辺には、前記の接合部材１１，１１に係止される例えばゴム紐から成る接合部材２４，２４が縫着されている。
【００１４】
また、袖２０，２０の一端側前面に面ファスナ２２，２２が縫着されている。これらの面ファスナ２２，２２は、袖２０，２０の他端側背面に縫着されて面ファスナ２２，２２と係脱可能に係合する面ファスナ２１，２１とともに係合部材２３，２３を構成している。そして、袖２０，２０の一端側背面に袋用布３９，３９が縫着されることにより、ポケット開口２６，２６を有する収容ポケット２５，２５が形成される。これらの収容ポケット２５，２５内には保冷材２７，２７が収容される。
【００１５】
前身頃３の裾１２の前側２ヶ所には、衣本体２に対し分離独立構成の脚着用筒体２８，２８が接合される。脚着用筒体２８，２８も袖２０，２０と同様、展開すると長尺帯状である。裾１２，１２には例えばボタンから成る接合部材１３，１３，１３，１３が取り付けられている。また、各脚着用筒体２８の一端側上辺には、前記の接合部材１３，１３に係止される例えばゴム紐から成る接合部材３６，３６が縫着されている。
【００１６】
また、脚着用筒体２８，２８の一端側前面に面ファスナ３０，３０が縫着されている。これらの面ファスナ３０，３０は、脚着用筒体２８，２８の他端側背面に縫着されて面ファスナ３０，３０と係脱可能に係合する面ファスナ２９，２９とともに係合部材３１，３１を構成している。そして、脚着用筒体２８，２８の一端側背面に袋用布４０，４０が縫着されることにより、ポケット開口３３，３３を有する収容ポケット３２，３２が形成される。これらの収容ポケット３２，３２内には保冷材３４，３４が収容される。
【００１７】
上記した保冷材１７，２７，３４は、例えば合成樹脂製の密封容器内に水、エチレングリコール、グリセリンなどの液体を封入したものであり、それぞれ収容ポケット１５，２５，３２内に収容可能な大きさで使いやすい厚さに形成されている。
【００１８】
引続き、上記構成による体温冷却衣１を着用者（例えば熱のある幼児）に着せる態様を説明する。
この体温冷却衣１はパジャマや普段着の上から着用される。使用にあたり、予め冷蔵庫などで冷やしておいた保冷材１７，２７，３４がそれぞれ収容ポケット１５，２５，３２に収容される。
まず、図５に示すように、後身頃４をベッド上などに敷く。この後身頃４上に着用者を仰向けに寝かせ、脚着用筒体２８，２８と袖２０，２０を一体に取り付けた前身頃３を着用者の上に被せる。そして、脚着用筒体２８，２８を着用者の大腿に巻きつけ、面ファスナ２９，２９を面ファスナ３０，３０に係止させて脚着用筒体２８，２８を筒状に固定する。
【００１９】
次に、後身頃４の胴両側部を立てて着用者の胴体に沿わせる。一方、前身頃３の胴両側部は下向きにして面ファスナ６，６，６，６を後身頃４の面ファスナ７，７，７，７に係止して衣本体２とする。更に、袖２０，２０を着用者の上腕付け根に巻きつけ、面ファスナ２１，２１を面ファスナ２２，２２に係止させて筒状に固定する。
尚、脚着用筒体２８、前身頃３および後身頃４、袖２０を係止する順序は上記の順に限らず、どれから先に係止しても構わない。逆に、脚着用筒体２８、前身頃３および後身頃４、袖２０のそれぞれの係合部材を外す場合も、順序は問わない。
【００２０】
そうして、肩部１８，１８および肩部８，８を着用者の頭部方向に引くと、図６に示すように、収容ポケット２５が着用者の腋窩部３８の対面に位置し、保冷材２７は１枚の袋用布３９を介して腋窩部３８に密着する。また、脚着用筒体２８，２８の収容ポケット３２，３２（図５参照）は着用者の大腿付け根から大腿前部にわたる鼠蹊部３７の対面位置に位置し、保冷材３４は１枚の袋用布４０（図２参照）を介して鼠蹊部３７に密着する。この場合、鼠蹊部３７には大腿動脈４６（図８参照）が皮下近くを通っている。
その状態で、係合部材３５の面ファスナ１９と面ファスナ９を係合させて、後身頃４の肩部１８に前身頃３の肩部８を固定すると、体温冷却衣１の装着が完了する。
【００２１】
上記のように体温冷却衣1を着用すれば、収容ポケット１５内の保冷材１７により背中が広い面積で常に冷やされるので、確実に体温が下がる。因みに、盛夏の発熱であっても、体温冷却衣1を着用していれば、クーラーを作動させていないにも拘わらず背中が涼しく、知らず知らずのうちに昼寝していることがある。加えて、収容ポケット２５内の保冷材２７により着用者の腋窩部３８が冷やされるので、腋窩動脈４５（図８参照）を流れる血液を介して体全体の体温を迅速に低下させることができる。更には、収容ポケット３２内の保冷材３４により着用者の鼠蹊部３７も冷やされるので、腋窩部３８の場合と同様に体全体の体温をいっそう迅速に低下させることができる。
尚、各袖２０や各脚着用筒体２８は展開状態で長尺帯状に形成されているので、上腕や大腿に保冷材２７，３４を密着させて装着することができる。この場合、脚着用筒体２８，２８は大腿に巻き付けられているから、保冷材３４，３４が着用者の腹部に当たることはない。そのため、保冷材３４，３４によりおなかを冷やしたりしない。
【００２２】
そして、体温冷却衣１は保冷材を入れる収容ポケットを複数有しているので、発熱の度合いに応じて、保冷材を入れる収容ポケットの数や位置を適宜選択できる。また、衣本体に対し、袖および脚着用筒体が分離独立、かつ、着脱自在に構成されているので、衣本体に取付けられる袖や脚着用筒体の数や位置も任意に選択することができる。
【００２３】
例えば、さほどの高熱でなく部屋を走り回っているような幼児の場合は、接合部材３６（ゴム紐）を接合部材１３（ボタン）から外し脚着用筒体２８，２８を衣本体２から取り外しておくと動きやすい。このように脚着用筒体２８，２８を外して使用すると、着用者の成長が早くても長期間使用できる。そして、面ファスナ９と面ファスナ１９の係止位置を変えることにより、体の成長や体格に応じて肩部８，１８の長さを調整することもできる。
従って、この体温冷却衣１を用いると看護者が楽になる。例えば、母親が炊事その他の家事に専念しているときに、幼児はじっと寝ていなくても体温冷却衣１により半ば強制的に冷やされるのである。他方で、救急の場合は体温冷却衣１を着せたまま冷却しながら病院に搬送できるから、初期治療の一助となる。
【００２４】
尚、上記の実施形態では、前身頃、後身頃、袖、脚着用筒体を互いに分離独立に形成した例を示したが、本発明はそれに限定されるものでなく、例えば、前身頃と後身頃、衣本体と袖または脚着用筒体を、一体に製作したものでも構わない。
また、対を成す面ファスナ同士、あるいはボタンとゴム紐で、係合部材や接合部材を構成したが、例えば、着脱可能なチャック、ホック、面ファスナ、ボタンとボタン穴、その他で係合部材や接合部材を代用することも可能である。
また、袖ぐりにおける袖の接合位置は既述のように袖ぐりの下辺部に限らない。例えば、袖ぐりの上辺部、前辺部、あるいは、後辺部に接合してもよい。
裾における脚着用筒体の接合位置も、既述したような裾前部に限らない。例えば、裾の両側部や後部に接合してよい。
そして、衣本体、袖、および脚着用筒体を不織布などで構成するとともに、係合部材を粘着テープなどで構成すると、使い捨て製品として安価に提供される。尚、本発明の体温冷却衣を病院内で使用する場合は、院内感染を防ぐためにも前記のような使い捨てタイプのものが好ましい。
【００２５】
【発明の効果】
以上詳述したように、本発明に係る体温冷却衣によれば、衣本体の袖ぐりに接合された長尺帯状の袖を、着用者の上腕に巻きつけ一端側と他端側の面ファスナーを係止させて筒状に固定すると、袖の収容ポケットが着用者の上腕の腋窩部の対面に位置し収容ポケット内の保冷材が上腕の腋窩部に密着する。従って、着用者の上腕の腋窩部を確実に冷やして体温を迅速に低下させることができる。
【００２７】
そして、衣本体の裾に接合された長尺帯状の脚着用筒体を、着用者の大腿に巻きつけ一端側と他端側の面ファスナーを係止させて筒状に固定すると、脚着用筒体の収容ポケットが着用者の大腿の鼠蹊部の対面に位置し収容ポケット内の保冷材が大腿の鼠蹊部に密着する。従って、着用者の大腿の鼠蹊部を確実に冷やして体温を迅速に低下させることができる。このとき、脚着用筒体は着用者の大腿に巻き付けられているから、保冷材が着用者の腹部に当たることはなく、保冷材によりおなかを冷やしたりしない。
【００２８】
更に、互いに分離独立した前身頃および後身頃と、前身頃と後身頃を係脱可能に係止する係合部材とから衣本体を構成した場合は、着用者が寝たままであっても、簡単に装着したり脱がせたりすることができ、介護や看護が極めて楽になるのは無論のこと、前身頃の両肩部の面ファスナと後身頃の両肩部の面ファスナとの係止位置を丈方向に変えることにより、着用者の体の成長や体格に応じて肩部の長さを調整することができる。あるいは、前身頃の胴部両側方の面ファスナと後身頃の胴部両側方の面ファスナとの係止位置が胴回り方向に変えられる。
【図面の簡単な説明】
【図１】本発明の一実施形態に係る体温冷却衣を示す正面図である。
【図２】前記の体温冷却衣を見上げた底面図である。
【図３】前記の体温冷却衣を分解した正面展開図である。
【図４】前記の体温冷却衣を分解した背面展開図である。
【図５】前記の体温冷却衣を着用させる態様を示す外観図である。
【図６】前記の体温冷却衣の正断面図である。
【図７】従来の体温冷却衣を示す外観図である。
【図８】一般的な人体動脈の配置図である。
【符号の説明】
１    体温冷却衣
２    衣本体
２ａ  背中部分
３    前身頃
４    後身頃
５，３５  係合部材
６，７，９，１９，２１，２２，２９，３０  面ファスナ
８，１８  肩部
１０  袖ぐり
１１，１３  接合部材
１２  裾
２５，３２  収容ポケット
２７，３４  保冷材
２０  袖
２４，３６  接合部材
２８  脚着用筒体
３７  鼠蹊部
３８  腋窩部
【図１】
0003653489.tif 000002
【図２】
0003653489.tif 000003
【図３】
0003653489.tif 000004
【図４】
0003653489.tif 000005
【図５】
0003653489.tif 000006
【図６】
0003653489.tif 000007
【図７】
0003653489.tif 000008
【図８】
0003653489.tif 000009